(57)【要約】【課題】蓋を底部に対して上方から被せる作業を、一人でも簡単に完了することのできる組み立て式ボックスパレットを提供する。【解決手段】組み立て式ボックスパレットは、底枠１４を備える底部と、周壁と、蓋板３１と蓋枠３４を備える蓋３を具備する。底枠１４は、複数の底枠コーナー部１４４を有する。複数の底枠コーナー部１４４は、底枠１４の他の部分よりも上方に突出している。蓋枠３４は、複数の蓋枠直線部３４２と、複数の蓋枠直線部３４２を枠状に結合させる複数の蓋枠コーナー部３４４を有する。複数の蓋枠コーナー部３４４のそれぞれの内側方に、対応する底枠コーナー部１４４が入り込む凹部３３が形成されている。【選択図】図１５
2019163072.tif 000002
【特許請求の範囲】
【請求項１】
底部と、
前記底部の上で組み立て可能な周壁と、
前記底部の上で組み立てられた前記周壁に対して、または前記周壁が組み立てられていない状態の前記底部に対して着脱自在に被せられる蓋と、を具備する組み立て式ボックスパレットであって、
前記底部は、底本体と、前記底本体の周縁部から起立した底枠と、を備え、
前記底枠は、直線状である複数の底枠直線部と、前記複数の底枠直線部よりも上方に突出し、且つ、前記複数の底枠直線部を枠状に結合させる複数の底枠コーナー部と、を有し、
前記蓋は、蓋板と、前記蓋板の周縁部から垂下するように設けられた蓋枠と、を備え、
前記蓋枠は、直線状である複数の蓋枠直線部と、前記複数の蓋枠直線部を枠状に結合させる複数の蓋枠コーナー部と、を有し、
前記複数の蓋枠コーナー部のそれぞれの内側方に、前記複数の底枠コーナー部のうち対応する底枠コーナー部が入り込む凹部が、形成されている
ことを特徴とする組み立て式ボックスパレット。
【請求項２】
前記複数の蓋枠コーナー部のそれぞれの内側面には、前記対応する底枠コーナー部を前記凹部に案内するガイド面が、形成されている
ことを特徴とする請求項１に記載の組み立て式ボックスパレット。
【請求項３】
前記複数の蓋枠直線部のそれぞれは、
前記蓋板の端縁部が嵌り込んで保持される溝部と、
前記溝部と一体に設けられた中空の垂下壁と、を有し、
前記垂下壁は、前記溝部の下方に位置する
ことを特徴とする請求項１又は２に記載の組み立て式ボックスパレット。
【請求項４】
前記蓋枠は、
前記複数の蓋枠直線部と前記複数の蓋枠コーナー部のそれぞれの下部から外側方に突出するように形成されたフランジ部を有する
ことを特徴とする請求項１から３のいずれか一項に記載の組み立て式ボックスパレット。
【請求項５】
前記複数の底枠直線部のそれぞれは、開放された中空部を有する底枠用直線部材であり、
前記複数の底枠コーナー部のそれぞれは、前記底枠用直線部材の前記中空部に挿し込むための接続片を有する底枠用コーナー部材であり、
前記底枠用コーナー部材の前記接続片は、基端部と、前記基端部よりも厚みが薄い先端部と、前記基端部と前記先端部をつなぐように厚みが漸次変化する中間部を含む
ことを特徴とする請求項１から４のいずれか一項に記載の組み立て式ボックスパレット。
【請求項６】
前記複数の蓋枠直線部のそれぞれは、開放された中空部を有する蓋枠用直線部材であり、
前記複数の蓋枠コーナー部のそれぞれは、前記蓋枠用直線部材の前記中空部に挿し込むための接続片を有する蓋枠用コーナー部材であり、
前記蓋枠用コーナー部材の前記接続片は、基端部と、前記基端部よりも厚みが小さな先端部と、前記基端部と前記先端部をつなぐように厚みが漸次変化する中間部を含む
ことを特徴とする請求項１から５のいずれか一項に記載の組み立て式ボックスパレット。
【発明の詳細な説明】
【技術分野】
【０００１】
本発明は、組み立て式ボックスパレットに関する。
【背景技術】
【０００２】
底部、周壁及び蓋を備える組み立て式ボックスパレットが、従来知られている（特許文献１等参照）。
【０００３】
この種の組み立て式ボックスパレットにおいて、組み立て状態では、蓋が、周壁に対して上方から被せられる。折り畳み状態では、蓋が、底部に対して上方から被せられる。
【先行技術文献】
【特許文献】
【０００４】
【特許文献１】特開２００８−８１１２７号公報
【発明の概要】
【発明が解決しようとする課題】
【０００５】
上記した従来の技術では、組み立て式ボックスパレットを折り畳む作業において、蓋を底部に被せるときに、互いの角が合うように蓋を正確に被せることが容易でない場合がある。
【０００６】
というのも、一般的にボックスパレットは、１１００ｍｍ×１１００ｍｍの寸法を有するパレットで底部が形成されており、これに被せる蓋も、同程度の寸法を有する大型の蓋である。そのため、作業者が一人であると、蓋を持ち上げたときにその蓋によって作業者の視野が制限されて底部が隠れてしまうので、底部の狙いどおりの位置に一度で蓋を被せることが容易でなく、蓋の一部が底部に引っ掛かることがあった。蓋の一部が底部に引っ掛かると、更にそこから蓋の位置をずらすことや、蓋を持ち上げることが簡単ではない。
【０００７】
本発明が解決しようとする課題は、蓋を底部に対して上方から被せる作業を、一人でも簡単に完了することのできる組み立て式ボックスパレットを提供することにある。
【課題を解決するための手段】
【０００８】
本発明の一様態に係る組み立て式ボックスパレットは、底部と、前記底部の上で組み立て可能な周壁と、前記底部の上で組み立てられた前記周壁に対して、又は前記周壁が組み立てられていない状態の前記底部に対して着脱自在に被せられる蓋と、を具備する組み立て式ボックスパレットである。
【０００９】
前記底部は、底本体と、前記底本体の周縁部から起立した底枠と、を備える。
【００１０】
前記底枠は、直線状である複数の底枠直線部と、前記複数の底枠直線部よりも上方に突出し、且つ、前記複数の底枠直線部を枠状に結合させる複数の底枠コーナー部と、を有する。
【００１１】
前記蓋は、蓋板と、前記蓋板の周縁部から垂下するように設けられた蓋枠と、を備える。
【００１２】
前記蓋枠は、直線状である複数の蓋枠直線部と、前記複数の蓋枠直線部を枠状に結合させる複数の蓋枠コーナー部と、を有する。
【００１３】
前記複数の蓋枠コーナー部のそれぞれの内側方に、前記複数の底枠コーナー部のうち対応する底枠コーナー部が入り込む凹部が、形成されている。
【発明の効果】
【００１４】
本発明は、蓋を底部に対して上方から被せる作業を、一人でも簡単に完了することができるという効果を奏する。
【図面の簡単な説明】
【００１５】
【図１】一実施形態の組み立て式ボックスパレットの分解斜視図である。
【図２】同上の組み立て式ボックスパレットの正面図である。
【図３】図２のＡ−Ａ線断面図である。
【図４】図２のＢ−Ｂ線断面図である。
【図５】同上の組み立て式ボックスパレットの折り畳み状態の斜視図である。
【図６】同上の組み立て式ボックスパレットの折り畳み状態の正面図である。
【図７】図６のＣ−Ｃ線断面図である。
【図８】図６のＤ−Ｄ線断面図である。
【図９】同上の組み立て式ボックスパレットが備える蓋を斜め下方から視た斜視図である。
【図１０】同上の蓋の要部の分解斜視図である。
【図１１】同上の蓋の要部の下面図である。
【図１２】同上の組み立て式ボックスパレットが備える底部の要部の分解斜視図である。
【図１３】同上の底部の要部の平面図である。
【図１４】同上の底部に蓋を被せるための作業を示す要部斜視図である。
【図１５】同上の底部に蓋を被せるための次の作業を示す要部斜視図である。
【図１６】同上の組み立て式ボックスパレットにベルトを付加した状態の要部斜視図である。
【図１７】図１７Ａは、同上の組み立て式ボックスパレットが備える周壁の変形例の斜視図であり、図１７Ｂは、同上の周壁の別の変形例の斜視図である。
【発明を実施するための形態】
【００１６】
一実施形態の組み立て式ボックスパレットについて、添付図面に基づいて説明する。
【００１７】
（全体）
図１、図２に示すように、一実施形態の組み立て式ボックスパレットは、平面視矩形状の外形を有する底部１と、底部１の外形の四辺に沿って起立するように底部１上に組み立てられた周壁２と、平面視矩形状を成すように組み立てられた周壁２に対して上方から着脱自在に被せられる蓋３を備える。
【００１８】
底部１上の収納空間は、周壁２によって全周を覆われ、且つ、上方に向けて開放された空間である。この空間の開放部分が、蓋３で覆われる。
【００１９】
一実施形態の組み立て式ボックスパレットは、図５、図６に示すように折り畳むことができる。折り畳み状態の組み立て式ボックスパレットでは、周壁２が組み立てられていない底部１に対して、蓋３が上方から着脱自在に被せられる。
【００２０】
折り畳み状態において、周壁２は例えば四枚の側板２１に分解され、底部１の上に積み重ねられる。分解された周壁２は、底部１と蓋３の間に収容される。なお、分解後の周壁２を底部１と蓋３の間に収容することは必須でなく、周壁２の高さによっては底部１と蓋３の間に収納できない場合もある。
【００２１】
平面視において、蓋３の外形は、底部１の外形よりも小さく設定されている。組み立て状態と折り畳み状態の両方において、蓋３の外形（後述の蓋枠３４の外形）は、底部１の外形（後述の底本体１０の外形）よりも内側方に位置する。これにより、蓋３の破損が抑えられている。
【００２２】
以下、各構成について更に詳しく説明する。
【００２３】
（底部）
底部１は、平面視矩形状の底本体１０と、底本体１０の周縁部１０５から起立するように周縁部１０５に装着された矩形枠状の底枠１４を備える。底本体１０と底枠１４は合成樹脂で形成されているが、金属又は木材で形成することも可能である。
【００２４】
底本体１０は、周方向に連続する四つの側面１０１を有する。各側面１０１には、二つの貫通口１０３が、水平方向に距離をあけて形成されている。各貫通口１０３は、フォークリフトの爪等が挿入される部分である。底本体１０は、荷物を載せることができればよく、例えば台車でもよい。
【００２５】
底枠１４は、平面視直線状である四か所の底枠直線部１４２と、四か所の底枠直線部１４２を枠状に結合させる四か所の底枠コーナー部１４４を有する。四か所の底枠直線部１４２は、平面視直線状に成形された四つの底枠用直線部材４で形成されている。四か所の底枠コーナー部１４４は、平面視Ｌ字状に成形された四つの底枠用コーナー部材５で形成されている。
【００２６】
四つの底枠用直線部材４は、底本体１０の周縁部１０５の四辺に沿って位置する。四つの底枠用コーナー部材５は、底本体１０の周縁部１０５の四つの角部分に位置し、四つの底枠用直線部材４を枠状に結合させる。
【００２７】
四つの底枠用直線部材４は、それぞれが同一断面形状を有するように押出成形された樹脂成形品である。四つの底枠用コーナー部材５は、それぞれが同一形状を有するように射出成形された樹脂成形品である。
【００２８】
図３、図１２等に示すように、底枠用直線部材４は、周縁部１０５の上面の一辺に沿って設置される直線状の支持片４１と、支持片４１の幅方向の中央部分から上方に起立する起立部４２と、支持片４１の幅方向の端部から上方に起立する規制リブ４３を、一体に備える。起立部４２には、その軸方向に沿って中空部４５が貫通形成されている。
【００２９】
規制リブ４３は、底本体１０の上面において、起立部４２よりも内側方に位置する。規制リブ４３の上方への突出量は、起立部４２の上方への突出量よりも小さい。図３に示すように、周壁２（側板２１）の下端部は、起立部４２と規制リブ４３に挟まれるようにして、支持片４１上に支持される。規制リブ４３は、その破損を防止するために、底枠用直線部材４の他の部分よりも肉厚に形成している。
【００３０】
図１２等に示すように、底枠用コーナー部材５は、Ｌ字状の支持片５１と、支持片５１から上方に起立する起立部５２を、一体に備える。支持片５１は、周縁部１０５の上面の角に沿って設置される。
【００３１】
起立部５２は、底枠用直線部材４の起立部４２よりも上方に突出するように形成された平面視Ｌ字状の突起部分５５と、突起部分５５の水平方向の両端から延長された一対の接続部５６を有する。一対の接続部５６は、互いに直交する方向に向けて延長されている。
【００３２】
突起部分５５の外側面には、内側方に僅かに傾斜が設けられている。具体的には、突起部分５５のうち両側の接続部５６よりも高い部分の外側面が、内側方に傾いた傾斜面５５０で構成されている。図３に示すように、傾斜面５５０は、仮想的な鉛直面に対して角度αだけ内側に傾斜している。角度αは、一例として１〜５°の範囲内（より好ましくは２〜４°の範囲内）で設定可能な角度である。
【００３３】
一対の接続部５６の先端からは、それぞれ二つの接続片５７が突出している。上下に並んだ二つの接続片５７は、底枠用直線部材４の起立部４２の端部に結合される部分である。
【００３４】
図１３に示すように、二つの接続片５７は、底枠用直線部材４の中空部４５に挿し込まれる。中空部４５は、起立部４２の軸方向の両側に開口を有し、この開口を通じて外部に開放されている。
【００３５】
接続片５７は、基端部５７２、中間部５７４及び先端部５７６を一連に有する。基端部５７２、中間部５７４及び先端部５７６は、互いに厚みが異なる。ここでの厚みは、底本体１０に固定された底枠用コーナー部材５を平面視したときの厚み（換言すれば組み立て式ボックスパレットの内外方向の厚み）である。
【００３６】
基端部５７２は、接続片５７のなかで最も厚い部分である。先端部５７６は、接続片５７のなかで最も薄い部分であり、平坦な形状を有する。中間部５７４は、基端部５７２と先端部５７６をつなぐように厚みが漸次変化する部分である。
【００３７】
基端部５７２と先端部５７６の内側面は、互いに平行な平坦面である。基端部５７２と先端部５７６の内側面の間には、中間部５７４の内側面を介して段差が形成されている。先端部５７６の内側面は、基端部５７２の内側面よりも外側方に位置する。
【００３８】
中間部５７４の内側面は、基端部５７２と先端部５７６の内側面をつなぐように、基端部５７２と先端部５７６の内側面に対して傾斜している。
【００３９】
中間部５７４の内側面は、基端部５７２の内側面から離れた部分ほど(換言すると先端部５７６の内側面に近い部分ほど)外側に位置するように、その全体が傾斜している。中間部５７４の内側面は平坦であるが、これに限定されず、例えば凸曲面又は凹曲面でもよい。
【００４０】
一実施形態の組み立て式ボックスパレットでは、底枠用コーナー部材５が上記の接続片５７を有するので、底枠用コーナー部材５と底枠用直線部材４に接続させる作業が効率的に行われる。つまり、底枠用コーナー部材５の各接続部５６を、対応する底枠用直線部材４に接続させるには、各接続部５６から突出する接続片５７を、対応する底枠用直線部材４の中空部４５に嵌めればよい。
【００４１】
このとき、接続片５７が薄肉の先端部５７６と中間部５７４を有するので、接続片５７を中空部４５に嵌め込む作業が簡単に行われ、嵌め込み後は、基端部５７２が中空部４５に確実に圧入される。
【００４２】
しかも、基端部５７２が中空部４５に圧入された状態で、先端部５７６が有する平坦な内側面と中空部４５の内周面の間に、空間Ｓ１が形成される（図１３参照）。空間Ｓ１は、図示略のブラインドリベットを用いて底枠用コーナー部材５と底枠用直線部材４を結合させるときに、該ブラインドリベットの座屈部分が収容される空間（換言すれば座屈部分が拡がる空間）として利用することができる。
【００４３】
（周壁）
図１に示すように、周壁２は、四枚の側板２１と、四枚の側板２１を平面視矩形枠状に連結させる四本の縦枠２５を備える。周壁２が組み立てられた状態で、上方に起立した姿勢の各縦枠２５に、周方向に隣接する二つの側板２１の端縁部が、着脱自在に連結される。
【００４４】
四枚の側板２１は、それぞれハニカム構造を有する合成樹脂製の中空板材である。四本の縦枠２５は、直線状に形成された合成樹脂製の部材である。
【００４５】
中空板材のハニカム構造は、六角柱状の中空セルが同一平面上において隙間なく並設された合成樹脂製のコア層と、このコア層に対して厚み方向の両側からサンドイッチするように貼り付けられた合成樹脂製のスキン層を有することが好ましい。コア層は、樹脂製の板材に所定の凹凸を形成し、該板材を交互に折り畳むことで、全体がハニカム状に形成されたものであることが、更に好ましい。
【００４６】
側板２１及び縦枠２５の材質と構造は、特に限定されない。側板２１及び縦枠２５は、例えば金属製又は木製でもよい。側板２１の構造は、上記のハニカム構造に限定されず、例えば、押出成形によってハーモニカの孔のように中空部分が一列に形成された構造でもよいし、柱体が多数並設された構造でもよいし、或いは、円錐体等の錐体が多数並設された構造でもよい。中空板材の表面に更に鋼板が貼られてもよい。
【００４７】
周壁２が組み立てられた状態で、各側板２１の下端部は、対応する底枠用直線部材４の支持片４１の上面に載せられ、起立部４２と規制リブ４３の間で支持される。各縦枠２５は、対応する底枠用コーナー部材５の支持片５１の上面に載せられる。互いに連結された底枠用直線部材４と底枠用コーナー部材５において、底枠用直線部材４の支持片４１の上面と、底枠用コーナー部材５の支持片５１の上面は、面一である。
【００４８】
（蓋）
蓋３は、平面視矩形状である一枚の蓋板３１と、蓋板３１の周縁部３１５（図４等参照）から垂下するように周縁部３１５に装着された矩形枠状の蓋枠３４を備える。
【００４９】
蓋板３１は、周壁２と同様のハニカム構造を有する合成樹脂製の中空板材であるが、蓋板３１の構造は上記のハニカム構造に限定されず、例えば、押出成形によってハーモニカの孔のように中空部分が一列に形成された構造でもよいし、柱体が多数並設された構造でもよいし、或いは、円錐体等の錐体が多数並設された構造でもよい。中空板材の表面に更に鋼板が貼られてもよい。蓋板３１は、合成樹脂製に限定されず、例えば金属製又は木製でもよい。蓋枠３４は合成樹脂製であるが、例えば金属製又は木製でもよい。
【００５０】
蓋枠３４は、平面視直線状である四か所の蓋枠直線部３４２と、四か所の蓋枠直線部３４２を枠状に結合させる四か所の蓋枠コーナー部３４４を有する。四か所の蓋枠直線部３４２は、平面視直線状に成形された四つの蓋枠用直線部材６で形成されている。四か所の蓋枠コーナー部３４４は、平面視Ｌ字状に成形された四つの蓋枠用コーナー部材７で形成されている。
【００５１】
四つの蓋枠用直線部材６は、蓋板３１の周縁部３１５の四辺に沿って位置する。四つの蓋枠用コーナー部材７は、蓋板３１の周縁部３１５の四つの角部分に位置し、四つの蓋枠用直線部材６を枠状に結合させる。
【００５２】
四つの蓋枠用直線部材６は、それぞれが同一断面形状を有するように押出成形された樹脂成形品である。四つの蓋枠用コーナー部材７は、それぞれが同一形状を有するように射出成形された樹脂成形品である。
【００５３】
図４、図９等に示すように、蓋枠用直線部材６は、蓋板３１の端縁部３１７を保持する断面コ字状の保持片６１と、保持片６１の外側方の端縁部から垂下された垂下壁６２と、保持片６１の内側方の端縁部から垂下された規制リブ６３と、垂下壁６２の下端部から更に外側方に延長されたフランジ部分６８を、一体に備える。蓋板３１の端縁部３１７は、蓋板３１の周縁部３１５の一部を構成する一直線状の端縁部である。
【００５４】
保持片６１には、蓋板３１の端縁部３１７が嵌り込むように溝部６４が形成されている。溝部６４は、保持片６１の内側方に開口している。
【００５５】
溝部６４は、垂下壁６２の上方の位置にまで凹んだ形状を有する。溝部６４には、垂下壁６２の上方の位置に至るまで、蓋板３１の端縁部３１７が挿入されている。垂下壁６２には、その軸方向に沿って中空部６５が貫通形成されている。
【００５６】
上記したように、この実施形態においては、蓋枠用直線部材６が蓋枠３４の蓋枠直線部３４２を形成しているので、蓋枠用直線部材６の溝部６４が、蓋枠３４の溝部３６を構成する（図４等参照）。溝部３６は、蓋枠３４のうち、蓋板３１の端縁部３１７が嵌り込んで保持される部分である。同様に、蓋枠用直線部材６の垂下壁６２が、溝部３６の下方に位置する中空の垂下壁３７を構成する。
【００５７】
規制リブ６３は、保持片６１の下面において、垂下壁６２よりも内側方に位置する。規制リブ６３の下方への突出量は、垂下壁６２の下方への突出量よりも小さい。図４に示すように、蓋枠用直線部材６の保持片６１は、周壁２の上端（側板２１の上端）に載せられる。このとき、周壁２の上端部（側板２１の上端部）は、垂下壁６２と規制リブ６３に挟まれるようにして位置する。規制リブ６３は、その破損を防止するために、蓋枠用直線部材６の他の部分よりも肉厚に形成している。
【００５８】
フランジ部分６８は、垂下壁６２の長さ方向の全域にわたって直線状に連続しているが、長さ方向の一部領域にだけ形成されてもよいし、複数に分断された構造でもよい。
【００５９】
図４等から理解されるように、組み立て状態において、蓋枠用直線部材６の保持片６１は、側板２１によって下方から支持される。このとき、溝部６４の下方（つまり溝部６４に嵌め込まれた蓋板３１の端縁部３１７の下方）に、側板２１が位置する。蓋板３１の端縁部３１７は、側板２１によってその鉛直下方から支持される。
【００６０】
そのため、蓋板３１に対して上方から荷重が掛かったときも、蓋板３１の端縁部３１７が落ち込むように保持片６１が変形すること（つまり溝部６４が変形すること）が効果的に抑えられ、蓋板３１の脱落が抑制される。
【００６１】
図１０等に示すように、蓋枠用コーナー部材７は、蓋板３１の周縁部３１５の角部分を保持する断面コ字状の保持片７１と、保持片７１の外側方の端縁部から垂下された垂下壁７２と、垂下壁７２の下端部から更に外側方に延長されたフランジ部分７８を、一体に備える。保持片７１と垂下壁７２とフランジ部分７８は、いずれも平面視Ｌ字状である。フランジ部分７８は、垂下壁７２の全域にわたって形成されているが、一部領域にだけ形成されてもよいし、複数に分断された構造でもよい。
【００６２】
保持片７１には、蓋板３１の周縁部３１５の角部分が嵌り込むように溝部７４が形成されている。溝部７４は、保持片７１の内側方に開口している。
【００６３】
垂下壁７２の左右の端部には、内側方に突き出した接続部７２５が形成されている。両側の接続部７２５の内側面は、垂下壁７２のうち両側の接続部７２５を除いた部分７２１の内側面よりも、段差を介して内側方に位置している。垂下壁７２のこの段差部分に、ガイド面７５が形成されている。ガイド面７５は、垂下壁７２のＬ字状の隅角に近い部分ほど、外側方に位置するように傾いた傾斜面である。
【００６４】
各接続部７２５の先端からは、二つの接続片７７が突出している。上下に並んだ二つの接続片７７は、蓋枠用直線部材６の垂下壁６２の端部に結合される部分である。
【００６５】
図１１に示すように、二つの接続片７７は、蓋枠用直線部材６の中空部６５に挿し込まれる。中空部６５は、垂下壁６２の軸方向の両側に開口を有し、この開口を通じて外部に開放されている。
【００６６】
接続片７７は、基端部７７２、中間部７７４及び先端部７７６を一連に有する。基端部７７２、中間部７７４及び先端部７７６は、互いに厚みが異なる。ここでの厚みは、蓋３を平面視したときの厚み（換言すれば組み立て式ボックスパレットの内外方向の厚み）である。
【００６７】
基端部７７２は、接続片７７のなかで最も厚い部分である。先端部７７６は、接続片７７のなかで最も薄い部分である。中間部７７４は、基端部７７２と先端部７７６をつなぐように厚みが漸次変化する部分である。
【００６８】
基端部７７２と先端部７７６の内側面は、互いに平行な平坦面である。基端部７７２と先端部７７６の内側面の間には、中間部７７４の内側面を介して段差が形成されている。先端部７７６の内側面は、基端部７７２の内側面よりも外側方に位置する。
【００６９】
中間部７７４の内側面は、基端部７７２と先端部７７６の内側面をつなぐように、基端部７７２と先端部７７６の内側面に対して傾斜している。
【００７０】
中間部７７４の内側面は、基端部７７２の内側面から離れた部分ほど(換言すると先端部７７６の内側面に近い部分ほど)外側に位置するように、その全体が傾斜している。中間部７７４の内側面は平坦であるが、これに限定されず、例えば凸曲面又は凹曲面でもよい。
【００７１】
一実施形態の組み立て式ボックスパレットでは、蓋枠用コーナー部材７が上記の接続片７７を有するので、蓋枠用コーナー部材７と蓋枠用直線部材６を接続させる作業が効率的に行われる。つまり、蓋枠用コーナー部材７の各接続部７２５を、対応する蓋枠用直線部材６に接続させるには、各接続部７２５から突出する接続片７７を、対応する蓋枠用直線部材６の中空部６５に嵌めればよい。
【００７２】
このとき、接続片７７が薄肉の先端部７７６と中間部７７４を有するので、接続片７７を中空部６５に嵌め込む作業が簡単に行われ、嵌め込み後は、基端部７７２が中空部６５に確実に圧入される。
【００７３】
しかも、基端部７７２が中空部６５に圧入された状態で、先端部７７６の内側面と中空部６５の内周面の間に、空間Ｓ２が形成される（図１１参照）。空間Ｓ２は、図示略のブラインドリベットを用いて蓋枠用コーナー部材７と蓋枠用直線部材６を結合させるときに、該ブラインドリベットの座屈部分が収容される空間（換言すれば座屈部分が拡がる空間）として利用することができる。
【００７４】
一実施形態の組み立て式ボックスパレットにおいて、蓋枠３４は、四つの蓋枠用直線部材６と四つの蓋枠用コーナー部材７が上記のように結合した構造であるから、四か所の蓋枠コーナー部３４４（蓋枠用コーナー部材７）のそれぞれの内側方に、底枠コーナー部１４４の一段高い部分（つまり突起部分５５）が入り込む凹部３３が、形成されている（図１４、図１５等参照）。
【００７５】
凹部３３は、蓋枠用コーナー部材７の垂下壁７２の内側方に形成されている。凹部３３は、下方に向けて開放され、且つ、内側方に開放されている。凹部３３は、垂下壁７２のうち両側の接続部７２５を除いた部分７２１の内側面と、保持片７１の下面で囲まれている。
【００７６】
四か所の蓋枠コーナー部３４４（蓋枠用コーナー部材７）のそれぞれの内側面には、底枠コーナー部１４４の一段高い部分（つまり突起部分５５）を凹所３３にまで案内するためのガイド面３５が、凹部３３を挟んで左右の両側に形成されている。両側のガイド面３５は、蓋枠用コーナー部材７の垂下壁７２の内周面の二カ所に形成されたガイド面７５で構成されている。
【００７７】
上記したように、両側のガイド面３５（ガイド面７５）は、垂下壁７２のＬ字状の隅角から離れた部分ほど、内側方に位置するように傾いている。言い換えると、両側のガイド面３５（ガイド面７５）は、蓋枠コーナー部３４４のＬ字状の隅角から離れた部分ほど、内側方に位置するように傾いている。
【００７８】
また、一実施形態の組み立て式ボックスパレットにおいて、蓋枠３４は、四つの蓋枠用直線部材６と四つの蓋枠用コーナー部材７が上記のように結合した構造であるから、蓋枠３４には、その全周にわたってフランジ部３８が一体に形成されている。フランジ部３８は、四つの蓋枠用直線部材６のそれぞれの下部から外側方に突出したフランジ部分６８と、四つの蓋枠用コーナー部材７のそれぞれの下部から外側方に突出したフランジ部分７８を含み、全体として平面視矩形枠状に形成されている。一実施形態の組み立て式ボックスパレットでは、四か所のフランジ部分６８と、四か所のフランジ部分７８が、周方向において交互に連続しているが、これらが不連続でもよい。
【００７９】
（折り畳み状態）
次に、一実施形態の組み立て式ボックスパレットの折り畳み状態について、図５から図８に基づいて説明する。上述したように、分解された周壁２（つまり四枚の側板２１）は、底部１と蓋３の間に収容されるが、図７と図８では分解された周壁２を省略している。
【００８０】
折り畳み状態において、蓋３は、底部１の底枠１４に対して上方から着脱自在に載せられる。
【００８１】
具体的には、図７に示すように、底枠直線部１４２を構成する底枠用直線部材４の起立部４２の上面に対して、蓋枠直線部３４２を構成する蓋枠用直線部材６の垂下壁６２の下面が、着脱自在に載せられる。
【００８２】
このとき、垂下壁６２の下端部から外側方に延長された断面クランク状のフランジ部分６８の先端部６８６は、起立部４２よりも外側方に位置し、且つ、起立部４２の上面よりも下方に位置する。蓋枠用直線部材６にフランジ部分６８が設けられていることで、折り畳み状態において、底枠１４に対する蓋枠３４の位置決めがより安定的に行われる。
【００８３】
フランジ部分６８は、垂下壁６２の下端部から外側方に延長された基端部６８２と、基端部６８２の外側方の端部から下方に延長された中間部６８４と、中間部６８４の下端部から外側方に延長された先端部６８６を、全体が断面クランク状となるように一連に有する。中間部６８４と起立部４２の間には、水平方向において隙間が設けられる。
【００８４】
先端部６８６は幅広の下面を有するので、作業者がフランジ部分６８に指を引っ掛けて持ち上げる際に、指に痛みを感じることが抑えられる。作業者の指の滑り止めを図るために、先端部６８６の下面に、複数の凸条を設けることや、複数の突起（微小な突起）を設けることも好ましい。また、破損の発生を抑えるために、フランジ部分６８を蓋枠用直線部材６の他の部分よりも厚肉に設けることや、フランジ部分６８の中でも先端部６８６を他の部分より厚肉に設けることも好ましい。
【００８５】
図７等から理解されるように、一実施形態の組み立て式ボックスパレットの折り畳み状態では、溝部６４の下方（つまり溝部６４に嵌め込まれた蓋板３１の端縁部３１７の下方）に、垂下壁６２と起立部４２が位置する。蓋板３１の端縁部３１７は、上下に重なった垂下壁６２と起立部４２によって、その鉛直下方から支持される。
【００８６】
そのため、蓋板３１に対して上方から荷重が掛かったときも、蓋板３１の端縁部３１７が落ち込むように保持片６１が変形すること（つまり溝部６４が変形すること）が効果的に抑えられ、蓋板３１の脱落が抑制される。
【００８７】
図８に示すように、底枠コーナー部１４４を構成する底枠用コーナー部材５の起立部５２の上端には、蓋枠コーナー部３４４を構成する蓋枠用コーナー部材７の保持片７１の下面が、着脱自在に載せられる。この状態において、垂下壁７２とフランジ部分７８は、起立部５２の外側方に位置する。垂下壁７２と起立部５２間には、水平方向において隙間が設けられる。
【００８８】
以上、一実施形態の組み立て式ボックスパレットの組み立て状態と、折り畳み状態について説明した。
【００８９】
一実施形態の組み立て式ボックスパレットによれば、組み立て式ボックスパレットを折り畳む作業で、蓋３を底部１に被せるときに、蓋３を狙いどおりの位置に被せることが容易である。
【００９０】
つまり、上述したように一実施形態の組み立て式ボックスパレットにおいては、底枠１４の角部分を構成するＬ字型の底枠コーナー部１４４の一部（詳しくは底枠用コーナー部材５の突起部分５５）が、底枠１４の残りの部分よりも大きく上方に突出するように形成されている。蓋枠３４の角部分を構成するＬ字型の蓋枠コーナー部３４４の内側方（詳しくは蓋枠用コーナー部材７の垂下壁７２の内側方）には、下方及び内側方に開放された凹部３３が、形成されている。
【００９１】
したがって、一人の作業者が蓋３を掴んで底部１に被せるときには、蓋枠３４を両手で掴んだまま、蓋３を、ターゲットとなる所定の底枠コーナー部１４４の上端に当たるように載せる（図１４の矢印参照）。このとき、底枠コーナー部１４４には、蓋板３１の下面３１０が当たる。
【００９２】
次いで、蓋枠３４を掴んだままで、蓋３を水平方向の例えば手前側に動かし（図１５の矢印参照）、所定の底枠コーナー部１４４を、これと対応する凹部３３に嵌り込ませる。
【００９３】
このとき、蓋３は、蓋板３１の下面３１０に底枠コーナー部１４４の上端を当てながら移動し、次いで、蓋枠コーナー部３４４の下面（詳しくは保持片７１の下面）に底枠コーナー部１４４の上端を当てながら、凹部３３に底枠コーナー部１４４が嵌り込むまで円滑に移動することができる。
【００９４】
上記したように、蓋枠コーナー部３４４の内側面（詳しくは垂下壁７２の内側面）のうち凹部３３の両側には、傾斜したガイド面３５が形成されている。そのため、底枠コーナー部１４４がガイド面３５に当たったときは、ガイド面３５によって、底枠コーナー部１４４が凹部３３に嵌り込むように円滑に案内される。
【００９５】
所定の底枠コーナー部１４４がこれと対応する凹部３３に嵌り込めば、この部分を基準として蓋３の位置合わせを行い（つまり、残りの三つの底枠コーナー部１４４と残りの三つの蓋枠コーナー部３４４の位置合わせを行い）、その後は蓋３から手を離せばよい。
【００９６】
これにより、底部１が有する四つの底枠コーナー部１４４は、蓋３が有する四つの凹部３３に対して、一対一で嵌り込む。
【００９７】
一実施形態の組み立て式ボックスパレットでは、蓋３がある程度の重量を有する大型のものであっても、作業者は一人で蓋３を掴んで持ち上げながら、簡単な作業で、底部１の狙いどおりの位置に一度で被せることができる。
【００９８】
一実施形態の組み立て式ボックスパレットでは、底枠コーナー部１４４の上部の外周面（詳しくは突起部分５５の外側面）を内側に傾斜させているので、凹部３３に底枠コーナー部１４４を嵌め込む作業が円滑に行われ、蓋３を底部１から外す作業も円滑に行われる。蓋３を底部１から外す際には、蓋３の全周に形成されたフランジ部３８に指を掛ければよく、フランジ部３８を利用して作業を効率的に行うことができる。
【００９９】
ところで、一実施形態の組み立て式ボックスパレットでは、図１６に示すように、蓋３を固定するためのベルト８を、周壁２の外側面に固定することができる。
【０１００】
ベルト８は、ゴム製のベルト本体８１と、ベルト本体８１の第一端部に打ち込まれる固定具８２と、ベルト本体８１の第二端部に装着される矩形環状の金具８３を備える。固定具８２はリベットであり、ベルト本体８１を介して縦枠２５の適宜個所に打ち込まれる。
【０１０１】
金具８３は、蓋枠コーナー部３４４に形成された突起３９に、着脱自在に引っ掛けられる。突起３９は、蓋枠用コーナー部材７の外周面に形成された横リブ７９から、上方に突出している。横リブ７９は、フランジ部分７８の上方に位置している。横リブ７９はフランジ部分７８と平行である。
【０１０２】
ベルト８は、金具８３が突起３９に引っ掛かった状態において、平面視において底部１の外形よりも外側方にはみ出すことがないように、全体の寸法形状が設計されている。ベルト８が、底部１の外形（底本体１０の外形）よりも内側方に位置することで、周囲の物にベルト８が接触することが抑えられる。
【０１０３】
蓋枠用コーナー部材７の外周面には、複数の縦リブ７６が更に形成されている。複数の縦リブ７６は互いに平行であり、フランジ部分７８と横リブ７９に対して格子状に交差している。
【０１０４】
蓋枠用コーナー部材７の外周面には、その上端部から外側方に突出する複数の突片７３が、更に形成されている。複数の突片７３はそれぞれ平面視台形状であり、複数の縦リブ７６に含まれる少なくとも一つ（この実施形態では二つ）の縦リブ７６の上方を覆うように位置している。突片７３と、これの下方に位置する縦リブ７６は一体につながっている。
【０１０５】
突片７３が存在することで、その下方の縦リブ７６が補強されることに加えて、縦リブ７６に周囲の物が当たることが抑えられ、縦リブ７６の破損が抑制される。突片７３は台形状であるから、突片７３に周囲の物が当たったときに突片７３が破損することも抑えられている。
【０１０６】
ベルト８は、底枠コーナー部１４４の外側面に固定することも可能である。この場合、底枠用コーナー部材５の外側面に、ベルト本体８１を介して固定具８２を打ち込めばよい。図６に示すように、底枠用コーナー部材５の外側面には、補強リブ５８が格子状に形成されており、補強リブ５８の格子の交差部分に凹み５９が設けられている。凹み５９は、固定具８２を打ち込む目印となり、ベルト８を装着したいときは、ドリル等で凹み５９に孔をあけ、この孔を通じて底枠用コーナー部材５に固定具８２を打ち込めばよい。
【０１０７】
（変形例）
図１７Ａには、周壁２の変形例を示している。この変形例では、四枚の側板２１のうち一枚の側板２１に、内側方に折り曲げ可能なヒンジ部２１５が設けられている。この側板２１と対向する別の側板２１は、取り外し可能である。
【０１０８】
この変形例では、一枚の側板２１を取り外し、残りの三枚の側板２１の全体をＭ字に折り曲げることで、周壁２の折り畳み作業を行うことができる。
【０１０９】
図１７Ｂには、周壁２の別の変形例を示している。この変形例では、四枚の側板２１のうち互いに対向する二枚の側板２１に、内側方に折り曲げ可能なヒンジ部２１６が設けられている。
【０１１０】
したがって、この変形例においては、二枚の側板２１をそれぞれ内側に折り曲げることで、周壁２の折り畳み作業を行うことができる。
【０１１１】
周壁２は、更に別の構造を備えることも可能である。例えば、底部１に対して四枚の側板２１をそれぞれ起倒自在に連結させ、四枚の側板２１をそれぞれ内側に倒すことで周壁２を分解及び収容することも可能である。
【０１１２】
また、上記の実施形態では、蓋枠用コーナー部材７の接続部７２５にガイド面３５を設けているが、ガイド面３５の位置及び形状はこれに限定されない。例えば、接続部７２５から離れた箇所（接続部７２５よりも垂下壁７２のＬ字状の隅角寄りの個所）にガイド用のリブを設け、該リブにガイド面３５を形成することも可能である。
【０１１３】
また、蓋３の上面（詳しくは蓋板３１の上面）に、段積み時に利用可能な突起を設けることも可能である。この場合、第一の組み立て式ボックスパレットの蓋板３１の上に第二の組み立て式ボックスパレットを段積みするに際して、第一の組み立て式ボックスパレットの蓋３の突起を、第二の組み立て式ボックスパレットの底部１に係合させ、水平方向のずれを抑えることができる。
【０１１４】
上記した変形例は一例に過ぎず、一実施形態の組み立て式ボックスパレットの他の構成においても、適宜の設計変更を行うことや、公知の技術を組み合わせることが可能である。
【０１１５】
（態様）
以上説明した実施形態及び変形例の記載から理解されるように、第一の態様の組み立て式ボックスパレットは、下記の構成を備える。
【０１１６】
つまり、第一の態様に係る組み立て式ボックスパレットは、底部（１）と周壁（２）と蓋（３）を具備する。周壁（２）は、底部（１）の上で組み立て可能である。蓋（３）は、底部（１）の上で組み立てられた周壁（２）に対して、または周壁（２）が組み立てられていない状態の底部（１）に対して着脱自在に被せられる。
【０１１７】
底部（１）は、底本体（１０）と、底本体（１０）の周縁部（１０５）から起立した底枠（１４）を備える。底枠（１４）は、直線状である複数の底枠直線部（１４２）と、複数の底枠直線部（１４２）よりも上方に突出し、且つ、複数の底枠直線部（１４２）を枠状に結合させる複数の底枠コーナー部（１４４）を有する。
【０１１８】
蓋（３）は、蓋板（３１）と、蓋板（３１）の周縁部（３１５）から垂下するように設けられた蓋枠（３４）を備える。蓋枠（３４）は、直線状である複数の蓋枠直線部（３４２）と、複数の蓋枠直線部（３４２）を枠状に結合させる複数の蓋枠コーナー部（３４４）を有する。複数の蓋枠コーナー部（３４４）のそれぞれの内側方に、複数の底枠コーナー部（１４４）のうち対応する底枠コーナー部（１４４）が入り込む凹部（３３）が形成されている。
【０１１９】
第一の態様の組み立て式ボックスパレットでは、底枠（１４）のうち複数の底枠コーナー部（１４４）が上方に突出しているので、ターゲットとなる底枠コーナー部（１４４）を決めてこれを蓋（３）の凹部（３３）に入り込ませ、その後はこの部分を基準として蓋（３）の位置合わせを行うことにより、一人であっても、簡単な作業で蓋（３）を正確に被せることができる。
【０１２０】
第二の態様の組み立て式ボックスパレットは、第一の態様に加えて、下記の構成を更に備える。
【０１２１】
つまり、第二の態様の組み立て式ボックスパレットにおいて、複数の蓋枠コーナー部（３４４）のそれぞれの内側面には、対応する底枠コーナー部（１４４）を凹部（３３）に案内するガイド面（３５）が形成されている。
【０１２２】
第二の態様の組み立て式ボックスパレットでは、ターゲットとなる底枠コーナー部（１４４）に凹部（３３）を入り込ませる作業を簡単に行うことができ、ひいては、蓋（３）を底部（１）に対して上方から被せる作業を、簡単に完了することができる。
【０１２３】
第三の態様の組み立て式ボックスパレットは、第一又は第二の態様に加えて、下記の構成を更に備える。
【０１２４】
つまり、第三の態様の組み立て式ボックスパレットにおいて、複数の蓋枠直線部（３４２）のそれぞれは、蓋板（３１）の端縁部（３１７）が嵌り込んで保持される溝部（３６）と、溝部（３６）と一体に設けられた中空の垂下壁（３７）を有する。垂下壁（３７）は、溝部（３６）の下方に位置する。
【０１２５】
第三の態様の組み立て式ボックスパレットでは、蓋板（３１）に対して上方から荷重が掛かったときに、蓋板（３１）の端縁部（３１７）が溝部（３６）から抜け落ちるような事態が抑えられる。
【０１２６】
なお、第三の態様の組み立て式ボックスパレットにおいて、複数の蓋枠直線部（３４２）のそれぞれは、垂下壁（３７）の内側方に距離をあけて位置する規制リブ（６３）を、更に有することが好ましい。蓋枠直線部（３４２）が規制リブ（６３）を一体に有していると、垂下壁（３７）と規制リブ（６３）の間に、周壁（２）の上端部分を安定的に保持することができる。
【０１２７】
第四の態様の組み立て式ボックスパレットは、第一から第三のいずれか一つの態様に加えて、下記の構成を更に備える。
【０１２８】
つまり、第四の態様の組み立て式ボックスパレットにおいて、蓋枠（３４）は、複数の蓋枠直線部（３４２）と複数の蓋枠コーナー部（３４４）のそれぞれの下部から外側方に突出するように形成されたフランジ部（３８）を有する。
【０１２９】
第四の態様の組み立て式ボックスパレットでは、蓋枠（３４）のうち複数の蓋枠直線部（３４２）と複数の蓋枠コーナー部（３４４）のいずれに手を掛けたときも、フランジ部（３８）を利用して確実に掴むことができ、作業をより効率的に行うことができる。
【０１３０】
第五の態様の組み立て式ボックスパレットは、第一から第四のいずれか一つの態様に加えて、下記の構成を更に備える。
【０１３１】
つまり、第五の態様の組み立て式ボックスパレットにおいて、複数の底枠直線部（１４２）のそれぞれは、開放された中空部（４５）を有する底枠用直線部材（４）である。複数の底枠コーナー部（１４４）のそれぞれは、底枠用直線部材（４）の中空部（４５）に挿し込むための接続片（５７）を有する底枠用コーナー部材（５）である。底枠用コーナー部材（５）の接続片（５７）は、基端部（５７２）と、基端部（５７６）よりも厚みが薄い先端部（５７６）と、基端部（５７２）と先端部（５７６）をつなぐように厚みが漸次変化する中間部（５７４）を含む。
【０１３２】
第五の態様の組み立て式ボックスパレットでは、比較的薄肉の先端部（５７６）と中間部（５７４）を利用して、接続片（５７）を中空部（４５）に簡単に嵌め込むことができ、嵌め込み後は、基端部（５７２）の厚みによって接続片（５７）を中空部４５に確実に圧入することができる。
【０１３３】
第六の態様の組み立て式ボックスパレットは、第一から第五のいずれか一つの態様に加えて、下記の構成を更に備える。
【０１３４】
つまり、第六の態様の組み立て式ボックスパレットにおいて、複数の蓋枠直線部（３４２）のそれぞれは、開放された中空部（６５）を有する蓋枠用直線部材（６）である。複数の蓋枠コーナー部（３４４）のそれぞれは、蓋枠用直線部材（６）の中空部（６５）に挿し込むための接続片（７７）を有する蓋枠用コーナー部材（７）である。蓋枠用コーナー部材（７）の接続片（７７）は、基端部（７７２）と、基端部（７７２）よりも厚みが小さな先端部（７７６）と、基端部（７７２）と先端部（７７６）をつなぐように厚みが漸次変化する中間部（７７４）を含む。
【０１３５】
第六の態様の組み立て式ボックスパレットでは、比較的薄肉の先端部（７７６）と中間部（７７４）を利用して、接続片（７７）を中空部（６５）に簡単に嵌め込むことができ、嵌め込み後は、基端部（７７２）の厚みによって接続片（７７）を中空部４５に確実に圧入することができる。
【符号の説明】
【０１３６】
１  底部
１０  底本体
１０５  周縁部
１４  底枠
１４２  底枠直線部
１４４  底枠コーナー部
２  周壁
３  蓋
３１  蓋板
３１５  周縁部
３１７  端縁部
３４  蓋枠
３４２  蓋枠直線部
３４４  蓋枠コーナー部
３５  ガイド面
３６  溝部
３７  垂下壁
３８  フランジ部
４  底枠用直線部材
４５  中空部
５  底枠用コーナー部材
５７  接続片
５７２  基端部
５７４  中間部
５７６  先端部
６  蓋枠用直線部材
６５  中空部
７  蓋枠用コーナー部材
７４  溝部
７７  接続片
７７２  基端部
７７４  中間部
７７６  先端部
【図１】
2019163072.tif 000003
【図２】
2019163072.tif 000004
【図３】
2019163072.tif 000005
【図４】
2019163072.tif 000006
【図５】
2019163072.tif 000007
【図６】
2019163072.tif 000008
【図７】
2019163072.tif 000009
【図８】
2019163072.tif 000010
【図９】
2019163072.tif 000011
【図１０】
2019163072.tif 000012
【図１１】
2019163072.tif 000013
【図１２】
2019163072.tif 000014
【図１３】
2019163072.tif 000015
【図１４】
2019163072.tif 000016
【図１５】
2019163072.tif 000017
【図１６】
2019163072.tif 000018
【図１７】
2019163072.tif 000019